(57)【要約】【課題】配線や電気部品の短絡を確実に防止することができる電気接続箱の排水構造を提供する。【解決手段】電気接続箱１の排水構造は、前記電気接続箱１が、水平面Ｈに対して傾斜した上壁面２１と、当該上壁面２１の端縁のうち下に位置する端縁２１ａに沿って設けられた排水路２６と、を備え、前記排水路２６の一端に排水口２９が設けられており、前記排水口２９が、前記上壁面２１の端縁２１ａに接続している前記電気接続箱１の側壁面２４よりも水平方向外側に位置している。【選択図】図１
2008061400.tif 000002
【特許請求の範囲】
【請求項１】
電気接続箱の排水構造であって、
前記電気接続箱が、水平面に対して傾斜した上壁面と、当該上壁面の端縁のうち下に位置する端縁に沿って設けられた排水路と、を備え、
前記排水路の一端に排水口が設けられており、
前記排水口が、前記上壁面の端縁に接続している前記電気接続箱の側壁面よりも水平方向外側に位置していることを特徴とする電気接続箱の排水構造。
【請求項２】
前記電気接続箱が、直方体状をなし、前記上壁面が水平面に対して傾斜するよう傾倒された状態で被取付部材に取り付けられていることを特徴とする請求項１に記載の電気接続箱の排水構造。
【発明の詳細な説明】
【技術分野】
【０００１】
本発明は、自動車などの車両に搭載される電気接続箱の排水構造に関する。
【背景技術】
【０００２】
一般に、電気接続箱は配線基板、ヒューズ、リレー、コネクタ、等の電気部品を備えるが、例えば自動車に搭載される電気接続箱はエンジンルームに設置されることがあり、洗車などによるエンジンルームへの水の浸入に対し、配線基板などの電気部品が短絡しないように防水対策が施されている（例えば特許文献１参照）。
【０００３】
特許文献１に開示された電気接続箱１０１は、図５に示すように、ヒューズハウジング１０２が取り付けられた配線基板１０３を、その面が略垂直になるように装着した電気接続箱であって、ヒューズハウジング１０２に、排水のための溝１０４ａ，１０４ｂと、止水のための壁１０５とを備えており、配線基板１０３上に、ヒューズハウジング１０２から配線基板１０３の側端部に至る排水路１０６が設けられている。尚、図中、符号１０７はリレーなどの電気部品を示す。
【０００４】
ヒューズハウジング１０２上の水は、壁１０５によりヒューズハウジング１０２の周囲に流れ出すことなく、溝１０４ａ，１０４ｂに沿って流れる。そして、配線基板１０３の側端部に至る排水路１０６に沿って流れ、配線基板１０３の側端部に至り、流れ落ちる。このように、ヒューズハウジング１０２上の水が配線基板面に沿ってヒューズハウジング１０２の下方に流れ落ちることがなく、ヒューズハウジング１０２の下方に実装された電気部品１０７が水により短絡することが防止される。
【０００５】
【特許文献１】特開２００２−１５２９４３号公報
【発明の開示】
【発明が解決しようとする課題】
【０００６】
特許文献１に開示された電気接続箱の排水構造は、配線基板１０３のうち配線や電気部品がない側端部を伝わらせて水を排出するものであるが、完全に排水されるまでの間に、例えば車両振動や負圧などの外的要因により、配線基板１０３の側端部を伝わる水が他の部位に伝わり、配線や電気部品が短絡する虞がある。
【０００７】
尚、特許文献１に開示された排水構造は電気接続箱の内側における排水構造であるが、電気接続箱の外側における排水構造の場合でも、水を電気接続箱の側壁面を伝わらせて落とす場合に、上記の外的要因により、あるいは、電気接続箱は一般に本体と当該本体の開口を覆う蓋体とで構成されているが、これら本体と蓋体との隙間に生じる毛細管現象により、水が電気接続箱の側壁面を伝わる間に電気接続箱の内側に進入し、内部の配線や電気部品が短絡する可能性がある。
【０００８】
本発明は、上述した事情に鑑みてなされたものであり、その目的は、配線や電気部品の短絡を確実に防止することができる電気接続箱の排水構造を提供することにある。
【課題を解決するための手段】
【０００９】
上記目的は、本発明に係る下記（１）〜（２）の電気接続箱の排水構造により達成される。
【００１０】
（１）電気接続箱の排水構造であって、前記電気接続箱が、水平面に対して傾斜した上壁面と、当該上壁面の端縁のうち下に位置する端縁に沿って設けられた排水路と、を備え、前記排水路の一端に排水口が設けられており、前記排水口が、前記上壁面の端縁に接続している前記電気接続箱の側壁面よりも水平方向外側に位置していることを特徴とする電気接続箱の排水構造。
（２）前記電気接続箱が、直方体状をなし、前記上壁面が水平面に対して傾斜するよう傾倒された状態で被取付部材に取り付けられていることを特徴とする（１）に記載の電気接続箱の排水構造。
【００１１】
上記構成の電気接続箱の排水構造では、水平面に対し傾斜した電気接続箱の上壁面上の水は、下に位置する端縁に沿って設けられた排水路に流入し、この排水路の一端に設けられた排水口から排出される。そして、この排水口が、上壁面の端縁に接続している電気接続箱の側壁面よりも水平方向外側に位置していることにより、排水口から排出された水は、電気接続箱の側壁面を伝うことなく流れ落ちる。これにより、水が電気接続箱の内側に進入することを防止して、内部の配線や電気部品の短絡を防止することができる。
【００１２】
また、直方体状の電気接続箱を、その上壁面が水平面に対して傾斜するよう傾倒して取り付けるようにすれば、排水口は、必然的に電気接続箱の側壁面よりも水平方向外側に位置することとなる。従って、排水口を側壁面から大きく突出させる必要がなく、電気接続箱の小型化を図ることができると共に、かかる簡単な構造で水が電気接続箱の内側に進入することを防止して、内部の配線や電気部品の短絡を防止することができる。
【発明の効果】
【００１３】
本発明によれば、配線や電気部品の短絡を確実に防止することができる電気接続箱の排水構造を提供することができる。
【発明を実施するための最良の形態】
【００１４】
以下、図を参照して本発明の好適な実施形態を説明する。
【００１５】
図１は本発明の電気接続箱の排水構造の一実施形態の側面図、図２は図１の電気接続箱の斜視図、図３は図２の電気接続箱の要部斜視図、図４は図３の電気接続箱の要部断面図である。
【００１６】
図１及び図２に示すように、本実施形態の電気接続箱１は、全体として略直方体状をなし、一面を開口させた略直方体状の箱本体２と、箱本体２の開口を塞ぐ蓋体３と、を備えている。
【００１７】
箱本体２は、開口を水平方向に向けると共に上壁面２１が水平面Ｈに対して所定角度θ傾斜するように、ブラケット２２を介して、例えば車両のフレームなどの被取付部材４に取り付けられている。蓋体３は、箱本体２の開口縁部に外嵌し、水平方向に向いた開口を塞いでいる。
【００１８】
ブラケット２２は、箱本体２の対となる角部にそれぞれ設けられており、一方のブラケット２２は、箱本体２の角部を画成している上壁面２１の端縁のうち下に位置する端縁２１ａに突設され、例えば締結などの適宜な手段によって被取付部材４に固定されている。
【００１９】
箱本体２の上壁面２１には、コネクタ挿入口２３が開口しており、この挿入口２３には、例えば車両に配索されるワイヤハーネスなどのコネクタが挿嵌される。尚、コネクタと挿入口２３の周縁との隙間は、例えばゴムパッキンなどを介装して、適宜防水処理がなされる。
【００２０】
また、上壁面２１の端縁２１ａに接続している箱本体２の側壁面２４には、例えばヒューズやリレーなどの電気部品を収容している接続箱内の収容部に通じた収容口が設けられており、該収容口は、開閉可能に側壁面２４に取り付けられたカバー２５によって塞がれている。
【００２１】
さらに図３及び図４を参照して、箱本体２には、上壁面２１の端縁２１ａに沿って排水路２６が設けられている。この排水路２６は、水平面Ｈに対して上壁面２１よりも傾斜して端縁２１ａに連設された底板２７と、底板２７の外縁に立設された枠板２８とを有している。排水路２６の一端は、枠板２８で堰き止められ、他端は開放されて排水口２９とされている。
【００２２】
箱本体２の上壁面２１の端縁２１ａに接続しているブラケット２２の基端部には複数の通孔３０が穿設されており、上壁面２１に被さった水は、これらの通孔３０を通して排水路２６に流入する。
【００２３】
排水路２６に流入した水は、底板２７が水平面Ｈに対して箱本体２の上壁面２１よりも傾斜していることから、箱本体２の側壁面２４から離間した底板２７と枠板２８とで画成される角部３１に集められ、そして、この角部３１に沿って排水口２９に向けて流れる。
【００２４】
ここで、略直方体状の箱本体２は、その上壁面２１が水平面Ｈに対して傾斜するよう傾倒されて被取付部材４に取り付けられており、さらに、排水口２９は、角部３１よりも箱本体２の側壁面２４から離間するように底板２７及び枠板２８を延長し、両延長部分により画成されて角部３１に連続する角部として構成されており、よって、排水口２９は箱本体２の側壁面２４よりも水平方向外側に配置されている。
【００２５】
角部３１に沿って排水口２９に向けて流れた水は、排水口２９より流れ出る。排水口２９が箱本体２の側壁面２４よりも水平方向外側に配置されていることから、排水口２９より流れ出た水は、側壁面２４を伝うことなく、鉛直に落下する（図１参照）。従って、側壁面２４上にある箱本体２と蓋体３との隙間や上記収容口を塞ぐカバー２５と箱本体２との隙間などから、接続箱内部に水が浸入することが防止される。
【００２６】
以上説明したように、本実施形態の電気接続箱１の排水構造では、水平面Ｈに対し傾斜した電気接続箱１の上壁面２１上の水は、下に位置する端縁２１ａに沿って設けられた排水路２６に流入し、この排水路２６の一端に設けられた排水口２９から排出される。そして、この排水口２９が、上壁面２１の端縁２１ａに接続している電気接続箱１の側壁面２４よりも水平方向外側に位置していることにより、排水口２９から排出された水は、電気接続箱１の側壁面２４を伝うことなく流れ落ちる。これにより、水が電気接続箱１の内側に進入することを防止して、内部の配線や電気部品の短絡を防止することができる。
【００２７】
また、直方体状の電気接続箱１を、その上壁面２１が水平面Ｈに対して傾斜するよう傾倒して取り付けているので、排水口２９は、必然的に電気接続箱１の側壁面２４よりも水平方向外側に位置することとなる。従って、排水口２９を側壁面２４から大きく突出させる必要がなく、電気接続箱１の小型化を図ることができると共に、かかる簡単な構造で水が電気接続箱１の内側に進入することを防止して、内部の配線や電気部品の短絡を防止することができる。
【００２８】
尚、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【図面の簡単な説明】
【００２９】
【図１】本発明の電気接続箱の排水構造の一実施形態の側面図である。
【図２】図１の電気接続箱の斜視図である。
【図３】図２の電気接続箱の要部斜視図である。
【図４】図３の電気接続箱の要部断面図である。
【図５】従来の電気接続箱の排水構造の要部斜視図である。
【符号の説明】
【００３０】
１      電気接続箱
２      箱本体
３      蓋体
４      被取付部材
２１    上面
２１ａ  端縁
２４    側面
２６    排水路
２９    排水口
Ｈ      水平面
【図１】
2008061400.tif 000003
【図２】
2008061400.tif 000004
【図３】
2008061400.tif 000005
【図４】
2008061400.tif 000006
【図５】
2008061400.tif 000007